(57)【要約】【課題】目視検査を実施する際に検査員が一つ一つ確実に検査を実施しているかどうかの信憑性を高めることができる目視検査監視システムを提供する。【解決手段】目視検査監視システム１は、検査開始入力部１４と、判定操作部１６と、計測部２０２と、記録部５，２０３と、を備えている。計測部２０２は、検査員１０１によって検査開始入力部１４に入力されてから判定操作部１６に入力されるまでの実施検査時間を計測する。記録部５，２０３は、計測部２０２が計測した実施検査時間を記録する。【選択図】図７
2013205277.tif 000002
【特許請求の範囲】
【請求項１】
検査員によって検査品の検査開始の入力が行われる検査開始入力部と、
前記検査員によって前記検査品の良品判定または不良品判定の入力が行われる判定操作部と、
前記検査員によって前記検査開始入力部に入力されてから前記判定操作部に入力されるまでの実施検査時間を計測する計測部と、
前記計測部が計測した前記実施検査時間を記録する記録部と、
を備えた目視検査監視システム。
【請求項２】
前記検査品の良品判定および／または不良品判定にかかる前記実施検査時間の平均値を算出する
請求項１に記載の目視検査監視システム。
【請求項３】
前記検査員が居眠りしているかどうかを監視する居眠り監視部を設けた
請求項１または２に記載の目視検査監視システム。
【請求項４】
予め良品判定を行う際に基準となる基準検査時間が設定されており、
前記基準検査時間の前に検査員に時間を知らせる報知部を設けた
請求項１から３のいずれかに記載の目視検査監視システム。
【請求項５】
検査を行った前記検査品が排出される排出部を有し、
前記判定操作部における良品判定または不良品判定に応じて前記検査品を自動的に振り分けるように前記排出部を制御する
請求項１から４のいずれかに記載の目視検査監視システム。
【請求項６】
前記検査員を判別する検査員認証部を設けた
請求項１から５のいずれかに記載の目視検査監視システム。
【請求項７】
前記計測部は、前記判定操作部が入力されてから次に前記検査開始入力部が入力されるまでの時間である検査のインターバル時間を計測し、
前記記録部には、前記インターバル時間が記録される
請求項１から６のいずれかに記載の目視検査監視システム。
【請求項８】
検査作業の一時中断する際に入力される作業一時中断入力部を設けた
請求項１から７のいずれかに記載の目視検査監視システム。
【請求項９】
作業開始から作業終了までの間に検査される１群の検査品の目視検査を監視する目視検査監視方法であって、
検査員によって前記１群の検査品のうち一の検査品の検査開始を検査開始入力部に入力されてから、前記一の検査品の良品判定または不良品判定を判定操作部に入力されるまでの実施検査時間を計測部により計測する工程と、
前記計測部が計測した前記実施検査時間を記録部に記録する工程と、
前記１群の検査品における良品判定が行われた検査品の前記実施検査時間の平均値を算出する工程と、
を含む目視検査監視方法。
【請求項１０】
算出された良品判定にかかる前記実施検査時間の平均値が、予め良品判定を行う際に基準となる基準検査時間に達しているかどうかを判断する工程を更に含む
請求項９に記載の目視検査監視方法。
【発明の詳細な説明】
【技術分野】
【０００１】
本発明は、検査品を検査員の目視によって良品または不良品判定を行う、いわゆる目視検査に適用される適用される目視検査監視システム及び目視検査監視方法に関する。
【背景技術】
【０００２】
一般的に、医療用製品等の物品を製造する際、人の目によって異物の混入や不具合がないか等の検査、いわゆる目視検査が実施されている。例えば、シリンジ内に予め薬液を充填するプレフィルドシリンジの場合では、シリンジ内に薬液を充填した後に、検査員によって異物の混入や、薬液の状態を検査する目視検査が行われている（例えば、特許文献１参照）。
【０００３】
検査員は、予め設定された基準検査時間をかけて検査品の良品判定または不良品判定を行う。なお、薬液に異物が混入している場合や不具合を発見した場合は、基準検査時間よりも早く不良判定を下してもよい。
【先行技術文献】
【特許文献】
【０００４】
【特許文献１】特開２０１１−０９５０２４号公報
【発明の概要】
【発明が解決しようとする課題】
【０００５】
しかしながら、特許文献１に記載された技術では、目視検査が正しく行われているかどうかの判断は、検査員の自己申告や検査総数などでしか判断できていなかった。そのため、従来の目視検査では、検査員が検査品に対して一つ一つ確実に検査をしているかどうか、信憑性に欠ける、という問題を有していた。
【０００６】
本発明の目的は、上記の問題点を考慮し、目視検査を実施する際に検査員が一つ一つ確実に検査を実施しているかどうかの信憑性を高めることができる目視検査監視システム及び目視検査監視方法を提供することにある。
【課題を解決するための手段】
【０００７】
上記課題を解決し、本発明の目的を達成するため、本発明の目視検査監視システムは、検査開始入力部と、判定操作部と、計測部と、記録部と、を備えている。検査開始入力部には、検査員によって検査品の検査開始の入力が行われる。判定操作部には、検査員によって検査品の良品判定または不良品判定の入力が行われる。計測部は、検査員によって検査開始入力部に入力されてから判定操作部に入力されるまでの実施検査時間を計測する。記録部は、計測部が計測した実施検査時間を記録する。
【０００８】
また、本発明の目視検査監視方法は、作業開始から作業終了までの間に検査される１群の検査品の目視検査を監視する方法であって、以下（１）から（３）に示す工程を含む。
（１）検査員によって１群の検査品のうち一の検査品の検査開始を検査開始入力部に入力されてから、一の検査品の良品判定または不良品判定を判定操作部に入力されるまでの実施検査時間を計測部により計測する工程。
（２）計測部が計測した実施検査時間を記録部に記録する工程。
（３）１群の検査品における良品判定が行われた検査品の実施検査時間の平均値を算出する工程。
【発明の効果】
【０００９】
本発明の目視検査監視システム及び目視検査監視方法によれば、検査品を検査するためにかかる検査時間を計測し、記録することで、検査員が検査品を一つ一つ確実に検査しているがどうかを判断することができる。
【００１０】
また、本発明の目視検査監視方法によれば、作業開始から作業終了までの間に検査した１群の検査品の平均検査時間が基準検査時間に達成していることによって、その１群の検査品の安全性を保証することができる。
【図面の簡単な説明】
【００１１】
【図１】本発明の目視検査監視システムの実施の形態例を示す概略構成図である。
【図２】本発明の目視検査監視システムの実施の形態例における中央管理部の表示部に表示される表示画面を示す説明図である。
【図３】本発明の目視検査監視システムの実施の形態例における中央管理部の表示部に表示される表示画面を示す説明図である。
【図４】本発明の目視検査監視システムの実施の形態例における中央管理部の表示部に表示される表示画面を示す説明図である。
【図５】本発明の目視検査監視システムの実施の形態例における検査室を示す概略構成図である。
【図６】本発明の目視検査監視システムの実施の形態例における検査監視部の表示部に表示される表示画面を示す説明図である。
【図７】本発明の目視検査監視システムの実施の形態例における検査監視部の回路構成を示すブロック図である。
【図８】本発明の目視検査監視システムの実施の形態例における検査員が目視検査を行う作業の流れを示すフローチャートである。
【図９】本発明の目視検査監視システムの実施の形態例における記録部に記録されるデータの一例を示すものである。
【発明を実施するための形態】
【００１２】
以下、本発明の目視検査監視システム及び目視検査監視方法の実施の形態例について、図１〜図９を参照して説明する。なお、各図において共通の部材には、同一の符号を付している。また、本発明は、以下の形態に限定されるものではない。
【００１３】
１．目視検査監視システムの構成例
次に、図１〜図７を参照して本発明の目視検査監視システムの実施の形態例（以下、「本例」という。）の構成例について説明する。
図１は、本例の目視検査監視システムを示す概略構成図である。
【００１４】
図１に示す目視検査監視システム１は、例えば、プレフィルドシリンジの製造ラインにおけるシリンジ内に薬液を充填した後に行われる目視検査を監視するシステムである。この目視検査では、複数の検査室１００Ａ〜１００Ｄにそれぞれ検査員１０１Ａ〜１０１Ｄが入室して検査が行われる。
【００１５】
なお、本例では、検査室１００の数を４つ設けているがこれに限定されるものではなく、検査室１００の数は、１つ以上設けられていればよい。
【００１６】
目視検査監視システム１は、中央管理部２と、複数の検査室１００Ａ〜１０１Ｄに設けられた検査監視部３Ａ〜３Ｄと、中央管理部２と検査監視部３Ａ〜３Ｄをネットワーク接続した装置内ＬＡＮ４とを有している。中央管理部２には、中央記録部５が設けられている。この中央記録部５には、検査監視部３Ａ〜３Ｄから装置内ＬＡＮ４を介して送られた情報が記録される。
【００１７】
中央管理部２には、検査状態を表示する表示部２Ａが設けられている。表示部２Ａには、中央記録部５に記録されている各検査室１００Ａ〜１００Ｄの検査状態が表示される。表示部２Ａは、例えば、静電容量方式の検出部である検出部を有しており、人体（手指）を介したポインティング操作による文字及び図等の入力が行われる。すなわち、この表示部２Ａは、タッチ式の入力部としての役割を有している。
【００１８】
なお、本例では、表示部２Ａとしてタッチ式の入力可能な表示部を適用した例を説明したが、これに限定されるものではなく、例えばキーボード等からなる入力部を別途設けてもよい。
【００１９】
図２〜図４は、中央管理部２の表示部２Ａに表示される表示画面の一例を示す図である。
図２に示すように、表示部２Ａには、各検査室１００Ａ〜１００Ｄの情報を選択する画面が表示される。そして、検査の監視を行う監視員は、情報を知りたい検査室１００Ａ〜１００Ｄを選択し、表示部２Ａの表示画面をタッチする。表示画面のタッチすることにより、表示部２Ａは、例えば図３に示すような画面に切り替わる。
【００２０】
図３に示すように、表示部２Ａには、例えば、どの検査室１００Ａ〜１００Ｄの情報であるかを示す検査室情報ウィンドウ３０１と、検査員の状態を示す検査員状態ウィンドウ３０２が表示される。また、表示部２Ａには、検査員コードウィンドウ３０４、作業開始時間ウィンドウ３０５、検査品Ｍ１の個数を表示する良品判定数ウィンドウ３０６や不良品判定数ウィンドウ３０７が表示される。表示部２Ａには、検査間隔平均ウィンドウ３０８、良品判定平均時間ウィンドウ３０９、不良品判定平均時間ウィンドウ３１０が表示される。
【００２１】
さらに、表示部２Ａには、休憩時間ウィンドウ３１１や不良判定履歴ウィンドウ３１２が表示される。そして、不良判定履歴ウィンドウ３１２をタッチすると、表示部２Ａには、例えば図４に示すような画面に切り替わる。図４に示すように、表示部２Ａには、検査員１０１が不良判定をくだしたときの日付及び時刻と、検査回数が表示される。
【００２２】
なお、図３に示す各ウィンドウ３０１〜３１１の詳細については、後述する。
【００２３】
次に、検査室１００Ａ〜１００Ｄの詳細な構成について図５を参照して説明する。
図５は、検査室１００を示す概略構成図である。
図５に示すように、検査室１００には、検査員１０１が検査を行う検査台１１と、検査監視部３と、検査済みの検査品Ｍ２、Ｍ３を排出する排出部１２が設けられている。また、検査室１００は、コード入力部１３と、検査開始ボタン１４と、検査の判定操作を行う判定操作部１６と、居眠り監視用カメラ１７とを有している。排出部１２、コード入力部１３、検査開始ボタン１４、判定操作部１６及び居眠り監視用カメラ１７は、検査監視部３に接続されている。
【００２４】
検査員認証部の一例を示すコード入力部１３は、例えばバーコードリーダからなる。このコード入力部１３は、検査員１０１がそれぞれ所持している認証カード１０３のバーコードを読み取り、検査員１０１Ａの認証を行う。これにより、検査室１００で検査を行う検査員１０１の判別を実施することができる。
【００２５】
また、コード入力部１３としては、バーコードリーダ以外に、検査員１０１が検査コードを入力可能なキー入力部であってもよく、あるいは指紋認証等のその他各種の認証方法を用いることができる。
【００２６】
検査開始入力部の一例を示す検査開始ボタン１４は、検査台１１の近傍に配置されている。この検査開始ボタン１４は、例えば、フットスイッチからなり、検査員１０１の脚で操作される。そして、検査開始ボタン１４は、検査員１０１が検査台１１に置かれた検査品Ｍ１の検査を開始する際に押圧される。この検査開始ボタン１４を入力した情報は、検査監視部３に送られる。
【００２７】
なお、検査開始ボタン１４としては、フットスイッチ以外に検査員１０１の手で押圧する押圧スイッチや、後述する表示部２４をタッチする等の各種の入力方法を用いることができる。
【００２８】
また、検査台１１の近傍には、判定操作部１６が配置されている。判定操作部１６は、良品判定ボタン２１と、不良品判定ボタン２２とを有している。良品判定ボタン２１は、良品判定時に検査員１０１によって入力され、不良品判定ボタン２２は、不良品判定時に検査員１０１によって入力される。良品判定ボタン２１または不良品判定ボタン２２を入力した情報は、検査監視部３に送られる。
【００２９】
なお、本例では、良品判定ボタン２１と不良品判定ボタン２２を検査台１１の一側の同一の箇所に接近させて配置しているが、これに限定されるものではない。例えば、良品判定ボタン２１を検査台１１の一側に配置し、不良品判定ボタン２２を検査台１１の他側に配置してもよい。すなわち、良品判定ボタン２１と不良品判定ボタン２２を異なる位置に配置してもよい。また、良品判定ボタン２１と不良品判定ボタン２２の入力方法を異なる入力方法にしてもよい。これにより、検査員１０１がボタンの押し間違えることを軽減させることができる。
【００３０】
検査台１１によって目視検査行われた検査品Ｍ２、Ｍ３は、排出部１２によって次の工程に排出される。排出部１２は、判定操作部１６の検査の判定に応じて、第１の排出方向Ｔと第２の排出方向Ｔ２に切換可能に構成されている。具体的には、排出部１２は、良品判定がくだされた検査品Ｍ２を第１の排出方向Ｔ１に排出し、不良品判定がくだされた検査品Ｍ３を第２の排出方向Ｔ２に排出する。
【００３１】
居眠り監視部の一例を示す居眠り監視用カメラ１７は、検査台１１に取り付けられており、検査を行う検査員１０１と対向するように設けられている。この居眠り監視用カメラ１７は、検査員１０１を撮影し、検査中における検査員１０１が居眠りしているかどうかを監視する。そして、この居眠り監視用カメラ１７の情報は、検査監視部３に送られる。
【００３２】
また、検査監視部３には、中央管理部２と同様に、表示部２４が設けられている。この表示部２４には、検査室１００で実施されている検査の状態が表示される。これにより、検査室１００で検査を行っている検査員１０１に自身が行った検査の状態を確認することができる。
【００３３】
また、表示部２４は、中央管理部２の表示部２Ａと同様に、例えば、静電容量方式の検出部である検出部を有しており、人体（手指）を介したポインティング操作による文字及び図等の入力が行われる。すなわち、この表示部２４は、タッチ式の入力部としての役割を有している。なお、キーボード等からなる入力部を別途設けてもよい、ことは勿論である。
【００３４】
図６は、検査監視部３の表示部２４に表示される表示画面の一例を示す図である。
図６に示すように、表示部２４には、中央管理部２の表示部２Ａと同様に、検査室情報ウィンドウ４０１と、検査員状態ウィンドウ４０２と、検査員コードウィンドウ４０４、作業開始時間ウィンドウ４０５が表示される。さらに、表示部２４には、良品判定数ウィンドウ４０６、不良品判定数ウィンドウ４０７、検査間隔平均ウィンドウ４０８、平均時間ウィンドウ４０９，４１０及び休憩時間ウィンドウ４１１が表示される。
【００３５】
また、表示部２４には、検査員１０１が作業の開始する際に入力する作業開始ウィンドウ４１２と、作業終了時に入力する作業終了ウィンドウ４１３と、昼休憩や休憩時に入力する作業一時中断ウィンドウ４１４が表示される。なお、作業開始ウィンドウ４１２，作業終了ウィンドウ４１３及び作業一時中断ウィンドウ４１４を表示させずに、作業開始入力部、作業終了入力部及び作業一時中断入力部を別途設けてもよい。なお、図６に示す各ウィンドウ３０１〜３１１の詳細については、後述する。
【００３６】
また、各検査室１００Ａ〜１００Ｄに表示部２４を設けた例を説明したが、これに限定されるものではなく、作業開始、作業終了及び作業の一時中断を入力する入力部を別途設け、表示部２４を設けなくてもよい。
【００３７】
次に、検査監視部３の回路構成について図７を参照して説明する。
図７は、検査監視部３の回路構成を示すブロック図である。
図７に示すように、検査監視部３は、制御部２０１と、装置内ＬＡＮ４に接続する通信部２０６とを有している。そして、制御部２０１には、コード入力部１３、表示部２４、排出部１２、検査開始ボタン１４、判定操作部１６、居眠り監視用カメラ１７が接続されている。また、制御部２０１は、計測部２０２と、記録部２０３とを有している。
【００３８】
制御部２０１は、コード入力部１３に入力された情報に基づいて検査員１０１を判別する。そして、その判別情報は、記録部２０３に記録される。
【００３９】
また、制御部２０１は、表示部２４の作業開始ウィンドウ４１２及び作業終了時に入力する作業終了ウィンドウ４１３（図６参照）を入力された際、その入力された時刻を記録部２０３に記録する。計測部２０２は、検査開始ボタン１４を押圧されてから、判定操作部１６を入力されるまでの時間を計測する。そして、計測部２０２は、計測した時間を記録部２０３に記録する。そして、記録部２０３に記録された情報は、通信部２０６及び装置内ＬＡＮ４を経て中央管理部２に送信される。
【００４０】
また、制御部２０１は、判定操作部１６の入力情報に基づいて排出部１２の排出方向を第１の排出方向Ｔ１または第２の排出方向Ｔ２へ切り換える制御を行う。
【００４１】
２．目視検査監視システムを用いた検査処理例および目視検査監視方法
次に、上述した構成を有する目視検査監視システム１を用いた検査処理の流れおよび目視検査監視方法について図１〜図９を参照して説明する。
図８は、検査員が目視検査を行う作業の流れを示すフローチャートである。
【００４２】
まず、図５に示すように、検査員１０１は、検査室１００に入室し、コード入力部１３に検査員コードを入力する（ステップＳ１）。具体的には、コード入力部１３に認証カード１０３をかざす。これにより、検査監視部３は、検査室１００で検査を行う検査員１０１の判別を行う。
【００４３】
そして、図３及び図６に示す検査員コードウィンドウ３０４，４０４には、検査員１０１の検査員コードが表示される。なお、この検査員コードは、検査監視部３の記録部２０３及び中央管理部２の中央記録部５に記録される。これにより、どの検査員１０１Ａ〜１０１Ｄがどの検査室１００Ａ〜１００Ｄで検査を行っているかどうかを確認することができる。
【００４４】
次に、検査員１０１は、検査監視部３の表示部２４に表示されている作業開始ウィンドウ４１２を入力（タッチ）し、作業を開始する（ステップＳ２）。これにより、図３及び図６に示す作業開始時間ウィンドウ３０５，４０５には、検査員１０１が作業開始ウィンドウ４１２を入力した日付及び時刻が表示される。なお、この作業開始時間は、検査監視部３の記録部２０３及び中央管理部２の中央記録部５に記録される。
【００４５】
作業開始ウィンドウ４１２が入力されると、検査監視部３は、居眠り監視用カメラ１７を作動させて検査員１０１が居眠りしていないかどうか監視する（ステップＳ３）。そして、検査員１０１の状態は、図３及び図６に示す検査員状態ウィンドウ３０２，４０２に表示される。また、この検査員１０１の状態も検査監視部３の記録部２０３及び中央管理部２の中央記録部５に記録され、後から検査員１０１の状態を確認することが可能となる。
【００４６】
次に、検査員１０１は、検査開始ボタン１４を入力し、予め設定された基準検査時間をかけて検査品Ｍ１の目視検査を行う（ステップＳ４）。また、基準検査時間の数秒前には、報知部としてブザーを鳴らしたり、ランプを点灯させたりしてもよい。これにより、検査員１０１に時間を知らせることができる。
【００４７】
基準検査時間とは、良品判定を下すまで検査品を検査しなければならない時間であり、その時間を経過しなければ、良品判定をくだしてはならない時間をいう。プレフィルドシリンジの目視検査の場合、基準検査時間は、１０〜３０秒、好ましくは１５〜２５秒である。
【００４８】
そして、目視検査が終わると検査員１０１は、判定操作部１６を入力し、検査品Ｍ１の判定を行う（ステップＳ５）。計測部２０２は、検査員１０１が検査開始ボタン１４を入力（ステップＳ４）してから、判定操作部１６を入力（ステップＳ５）するまでの時間（以下、「実施検査時間」という。）を計測する。計測された時間は、検査監視部３の記録部２０３及び中央管理部２の中央記録部５に記録される。
【００４９】
なお、異物の混入している場合等の不具合を発見した場合は、基準検査時間よりも早く不良判定を行ってもよい。また、異物の混入等がなく良品判定をくだす場合は、検査員１０１に予め設定された基準検査時間かけて検査品Ｍ１を検査させることが求められている。従来では検査員１０１が基準検査時間かけて良品判定を行っているかどうかは、検査員１０１の自己申告に委ねられていた。
【００５０】
これに対し、本例の目視検査監視システム１によれば、検査員１０１が一つの検査品Ｍ１の検査に所要した時間（実施検査時間）を計測部２０２によって計測し、記録部２０３及び中央記録部５に記録している。これにより、検査員１０１が良品判定をくだす際に所要した実施検査時間を確認することができ、その実施検査時間が基準検査時間に達しているか否かで、検査員１０１が検査品Ｍ１を一つ一つ確実に検査しているがどうかを判断することができる。
【００５１】
次に、目視検査が終了した検査品Ｍ１は、排出部１２によって排出される（ステップＳ６）。ここで、検査員１０１が良品判定ボタン２１を入力した場合、いわゆる良品判定の検査品Ｍ２が第１の排出方向Ｔ１に排出されるように、制御部２０１は排出部１２を制御する。また、検査員１０１が不良品判定ボタン２２を入力した場合、いわゆる不良品判定の検査品Ｍ３が第２の排出方向Ｔ２に排出されるように、制御部２０１は排出部１２を制御する。これにより、排出部１２によって良品判定された検査品Ｍ２と不良品判定された検査品Ｍ３を自動的に振り分けることで、検査品Ｍ２と検査品Ｍ３が混在することを防止できる。
【００５２】
検査員１０１は、所定の作業時間または所定個数の検査品Ｍ１の目視検査を行うまで、ステップＳ４の処理からステップＳ６の処理を繰り返す（ステップＳ７）。計測部２０２は、検査員１０１が検査した全ての検査品Ｍ１の実施検査時間を計測し、検査判定とともに検査監視部３の記録部２０３及び中央管理部２の中央記録部５に記録する。
【００５３】
そして、図３及び図６に示す良品判定数ウィンドウ３０６，４０６及び不良品判定数ウィンドウ３０７，４０７には、ステップＳ４の処理からステップＳ６の処理で検査員１０１が良品判定または不良品判定した検査品の個数が表示される。
【００５４】
また、制御部２０１は、ステップＳ４からステップＳ５の処理において、検査員１０１が良品判定および／または不良品判定を行うまでに所要した実施検査時間の平均値を算出する。良品判定平均時間ウィンドウ３０９，４０９には、算出した実施検査時間の平均時間が表示される。
【００５５】
制御部２０１は、算出した実施検査時間の平均値と、基準検査時間を比較し、実施検査時間の平均値が基準検査時間に達しているかどうか判断する。そして、この良品判定までの平均時間が基準検査時間に達していれば、作業開始から作業終了までの間に検査した１群の検査品Ｍ１の安全性を保証することができる。
【００５６】
さらに、不良品判定平均時間ウィンドウ３１０，４１０には、算出した実施検査時間の平均時間が表示される。
【００５７】
上述したように、異物の混入している場合等の不具合を発見した場合は、基準検査時間よりも早く不良判定を行ってもよい。そして、異物の混入等の不具合は、より早く発見されることが好ましい。そのため、不良品判定平均時間ウィンドウ３１０，４１０に表示される不良品判定平均時間は、検査員１０１が異物の混入等をどれだけ早く発見することができるかという検査員１０１の検査能力の指標に用いることができる。
【００５８】
図９は、検査監視部３の記録部２０３及び中央管理部２の中央記録部５に記録されるデータの一例を示すものである。記録部２０３及び中央記録部５には、検査員１０１、検査を開始した時間、検査に所要した時間、検査の回数や良品判定または不良品判定等の情報が記録される。このデータを参照することで、検査員１０１が確実に基準検査時間をかけて良品判定を行ったかどうか判断することができる。さらに、居眠り監視用カメラ１７の情報も記録することで、一つ一つの検査品Ｍ１に対して確実に目視検査を行ったかどうかを判断することができる。
【００５９】
また、中央記録部５及び記録部２０３には、どの検査員１０１Ａ〜１０１Ｄがいつ不良判定を行ったかという情報も記録されている。そのため、意図的に不良品を他の検査品Ｍ１に混入させることで、検査員１０１が確実に意図的に混入された不良品を発見できているかどうかの判定も行うこともできる。すなわち、検査員１０１の検査能力を試験することにも適用できる。
【００６０】
計測部２０２は、判定操作部１６を入力（ステップＳ５）してから、次の検査品Ｍ１の検査を開始する合図である検査開始ボタン１４を入力（ステップＳ４）までの時間を計測する。すなわち、本例の目視検査監視システム１では、検査と検査のインターバル時間を計測し、記録する。そして、検査間隔平均ウィンドウ３０８，４０９には、インターバル時間の平均時間が表示される。
【００６１】
これにより、検査員１０１が不要に休憩せずに検査を実施しているかどうかの確認をすることができるだけでなく、検査員１０１の検査能力を試験することにも適用できる。また、各検査室１００Ａ〜１００Ｄに検査品Ｍ１がベルトコンベア等の搬送部を用いて搬送される場合、インターバル時間を確認することで、検査品Ｍ１を各検査室１００Ａ〜１００Ｄへ搬送するタイミングや量を調整することもできる。
【００６２】
ステップＳ４からステップＳ６の処理の間において、休憩や一時的に検査室１００から退出する場合は、検査員１０１は、表示部２４の作業一時中断ウィンドウ４１４を入力（タッチ）する。作業を再開する場合は、作業一時中断ウィンドウ４１４を再び入力する。作業一時中断ウィンドウ４１４が入力された場合、計測部２０２におけるインターバル時間の計測は、中断される。
【００６３】
また、作業一時中断ウィンドウ４１４を入力した情報は、記録部２０３及び中央記録部５に記録され、検査員１０１の休憩時間が記録される。そして、休憩時間ウィンドウ４１１には、検査員１０１の休憩時間が表示される。これにより、どの検査員１０１Ａ〜１０１Ｄがどれだけ休憩していたかどうかを確認することができるだけでなく、検査員１０１の検査能力を試験することにも適用できる。
【００６４】
ステップＳ７の処理において、所定の作業時間または所定個数の検査品Ｍ１の目視検査が終了した場合、検査員１０１は、表示部２４の作業終了ウィンドウ４１３を入力（タッチ）し、作業を終了する（ステップＳ８）。これにより、目視検査監視システム１を用いた目視検査作業が完了する。
【００６５】
なお、本発明は上述しかつ図面に示した実施の形態に限定されるものではなく、特許請求の範囲に記載した発明の要旨を逸脱しない範囲内で種々の変形実施が可能である。上述した実施の形態例では、各検査室１００Ａ〜１００Ｄに検査監視部３Ａ〜３Ｄを設けた例を説明したがこれに限定されるものではない。例えば、各検査室１００Ａ〜１００Ｄに検査監視部３Ａ〜３Ｄを設けずに、中央管理部２に制御部２０１を設けて複数の検査室１００Ａ〜１００Ｄを中央管理部２で一括に制御するようにしてもよい。
【符号の説明】
【００６６】
１…目視検査監視システム、  ２…中央管理部、  ２Ａ…表示部、  ３Ａ，３Ｂ，３Ｃ，３Ｄ…検査監視部、  ４…装置内ＬＡＮ、  ５…中央記録部（記録部）、  １１…検査台、  １２…排出部、  １３…コード入力部（検査員認証部）、  １４…検査開始ボタン（検査開始入力部）、  １６…判定操作部、  １７…居眠り監視用カメラ（居眠り監視部）、  ２１…良品判定ボタン、  ２２…不良品判定ボタン、  ２４…表示部、  １００Ａ，１００Ｂ，１００Ｃ，１００Ｄ…検査室、  １０１Ａ，１０１Ｂ，１０１Ｃ，１０１Ｄ…検査員、  ２０１…制御部、  ２０２…計測部、  ２０３…記録部、  ２０４…通信部、  ４１２…作業開始ウィンドウ（作業開始入力部）、  ４１３…作業終了ウィンドウ（作業終了入力部）、  ４１４…作業一時中断ウィンドウ（作業一時中断入力部）  Ｍ１…検査品、  Ｍ２…（良品判定が行われた）検査品、  Ｍ３…（不良品判定が行われた）検査品、  Ｔ１…第１の排出方向、  Ｔ２…第２の排出方向
【図１】
2013205277.tif 000003
【図２】
2013205277.tif 000004
【図３】
2013205277.tif 000005
【図４】
2013205277.tif 000006
【図５】
2013205277.tif 000007
【図６】
2013205277.tif 000008
【図７】
2013205277.tif 000009
【図８】
2013205277.tif 000010
【図９】
2013205277.tif 000011